(57)【要約】【課題】ユーザによるソース機器の再設定の手間を省き、映像を正確に表示することを可能にするコンテンツ再生装置を提供する。【解決手段】ソース機器３０から取得したコンテンツを再生する表示部１１と、表示部１１がコンテンツを正常に再生することが可能であるか否かを判定する判定部２１と、ソース機器３０に提示する再生性能情報を設定するＥＤＩＤ生成部２３であって、コンテンツを正常に再生することが不可能であると判定された場合、表示部１１の再生性能を示す第１の再生性能情報を表示部１１の再生性能よりも低い再生性能を示す第２の再生性能情報に設定するＥＤＩＤ生成部２３とを備えている。【選択図】図１
2011172146.tif 000002
【特許請求の範囲】
【請求項１】
ソース機器から取得したコンテンツを再生する再生手段と、
上記再生手段が上記コンテンツを正常に再生することが可能であるか否かを判定する判定手段と、
上記ソース機器に提示する再生性能情報を設定する設定手段であって、上記コンテンツを正常に再生することが不可能であると判定された場合、上記再生手段の再生性能を示す第１の再生性能情報を上記再生手段の再生性能よりも低い再生性能を示す第２の再生性能情報に設定する設定手段と、
を備えている、ことを特徴とするコンテンツ再生装置。
【請求項２】
上記コンテンツを正常に再生することが不可能であると判定された場合、上記第２の再生性能情報を取得するよう、上記ソース機器に指示する指示手段を更に備えている、ことを特徴とする請求項１に記載のコンテンツ再生装置。
【請求項３】
上記再生手段は、特定の規格の特定のバージョンにおいてサポートされたフォーマットのコンテンツを再生可能なものであり、
上記第１の再生性能情報は、上記特定のバージョンを示す情報であり、上記第２の再生性能情報は、上記特定のバージョンよりも前のバージョンを示す情報である、
ことを特徴とする請求項１又は２に記載のコンテンツ再生装置。
【請求項４】
上記再生手段は、特定の解像度以下の映像コンテンツを再生可能なものであり、
上記第１の再生性能情報は、上記特定の解像度を示す情報であり、上記第２の再生性能情報は、上記特定の解像度よりも低い解像度を示す情報である、
ことを特徴とする請求項１から３までの何れか１項に記載のコンテンツ再生装置。
【請求項５】
上記再生手段は、特定の周波数以下の映像コンテンツを再生可能なものであり、
上記第１の再生性能情報は、上記特定の周波数を示す情報であり、上記第２の再生性能情報は、上記特定の周波数よりも低い周波数を示す情報である、
ことを特徴とする請求項１から４までの何れか１項に記載のコンテンツ再生装置。
【請求項６】
上記再生手段は、特定のビットレート以下のデジタルコンテンツを再生可能なものであり、
上記第１の再生性能情報は、上記特定のビットレートを示す情報であり、上記第２の再生性能情報は、上記特定のビットレートよりも低いビットレートを示す情報である、
ことを特徴とする請求項１から５までの何れか１項に記載のコンテンツ再生装置。
【請求項７】
ソース機器から取得したコンテンツを再生する再生手段を備えたコンテンツ再生装置において、上記ソース機器に提示する再生性能情報を設定する設定方法であって、
上記再生手段が上記コンテンツを正常に再生することが可能であるか否かを判定する判定ステップと、
上記コンテンツを正常に再生することが可能であると判定された場合、上記再生性能情報を上記再生手段の再生性能を示す第１の再生性能情報に設定し、上記コンテンツを正常に再生することが不可能であると判定された場合、上記再生性能情報を上記再生手段の再生性能よりも低い再生性能を示す第２の再生性能情報に設定する設定ステップと、
を含んでいる、ことを特徴とする設定方法。
【請求項８】
請求項１から６までの何れか１項に記載のコンテンツ再生装置が備えているコンピュータを動作させるプログラムであって、上記コンピュータを上記の各手段として機能させるためのプログラム。
【請求項９】
請求項８に記載のプログラムを記録したコンピュータ読み取り可能な記録媒体。
【発明の詳細な説明】
【技術分野】
【０００１】
本発明は、再生性能情報が記録されているコンテンツ再生装置、及び再生性能情報の設定方法に関する。
【背景技術】
【０００２】
従来、ディスプレイをパソコンに接続した後、ディスプレイに映像を表示させるために、ユーザによってパソコンからディスプレイに送信される映像信号のフォーマットなどを設定する必要があった。しかし、近年、ユーザによる設定を必要とせず、ディスプレイをパソコンに接続するたけで自動的にフォーマットなどの設定処理が行なわれ、視聴可能になるプラグ・アンド・プレイを実現したディスプレイが増加してきている。
【０００３】
また、近年、テレビ（テレビジョン受像機）に接続されるソース機器（例えば、ＤＶＤプレーヤ／レコーダ、ＢＤプレーヤ／レコーダ、ＨＤＤなど）の高度化が進んでいることから、ソース機器からテレビの性能を超える信号が供給され、映像が正常に表示されなかったり、音声が正常に出力されなかったりすることがある。このことから、テレビにおいても、ソース機器が接続された時点で、正しく映像を表示することができ、正しく音声を出力することができるように、プラグ・アンド・プレイを実現することが望まれている。
【０００４】
プラグ・アンド・プレイを実現するために、テレビには、許容周波数、許容解像度、許容色深度など、そのテレビの性能を示すＥＤＩＤが記録されている。また、ソース機器は、テレビに接続された時点で、テレビの性能を伝達するデータチャンネルであるＤＤＣ（Display Data Channel）を介してテレビからＥＤＩＤを読み出し、ＥＤＩＤが示すテレビの性能に基づいて、テレビに供給する映像信号のフォーマットなどを自動的に設定する。
【０００５】
例えば、特許文献１には、対応していないフォーマットの映像信号が入力されたとき、エラーメッセージをソース機器に送信するテレビと、エラーメッセージを受信したとき、テレビからＥＤＩＤを再取得し、最適なフォーマットの映像信号をテレビに送信するソース機器とが開示されている。
【先行技術文献】
【特許文献】
【０００６】
【特許文献１】特開２００８−１６０６５３号公報（平成２０年７月１０日公開）
【発明の概要】
【発明が解決しようとする課題】
【０００７】
ソース機器から取得したコンテンツを再生する従来のコンテンツ再生装置は、コンテンツを取得するための伝送路に不具合がある場合などに、本来の再生性能に見合ったコンテンツを正常に再生することができないことがあった。
【０００８】
特許文献１に記載の技術を適用したとしても、この問題を解決することができない。なぜなら、ソース機器が再取得するＥＤＩＤは、エラーメッセージを取得する前に読み出したＥＤＩＤと同じものなので、ソース機器から供給されるコンテンツのフォーマットも変わらず、コンテンツ再生装置がコンテンツを正常に再生することができない状態も改善されないからである。
【０００９】
本発明は、上記の課題を解決するためになされたものであり、その主たる目的は、ソース機器から取得したコンテンツを正常に再生することが不可能な場合に、ソース機器から正常に再生することが可能なコンテンツを取得することができるコンテンツ再生装置を提供することにある。
【課題を解決するための手段】
【００１０】
本発明に係るコンテンツ再生装置は、上記課題を解決するために、ソース機器から取得したコンテンツを再生する再生手段と、上記再生手段が上記コンテンツを正常に再生することが可能であるか否かを判定する判定手段と、上記ソース機器に提示する再生性能情報を設定する設定手段であって、上記コンテンツを正常に再生することが不可能であると判定された場合、上記再生手段の再生性能を示す第１の再生性能情報を上記再生手段の再生性能よりも低い再生性能を示す第２の再生性能情報に設定する設定手段と、を備えていることを特徴としている。
【００１１】
上記の構成によれば、上記コンテンツを正常に再生することが不可能である場合に、上記再生性能情報を上記再生手段の再生性能よりも低い再生性能を示す上記第２の再生性能情報に設定することができる。これによって、新たに設定された第２の再生性能情報に応じたコンテンツ、すなわち、上記再生手段の再生性能よりも低い再生性能で再生可能なコンテンツを、上記ソース機器から取得することができる。従って、上記コンテンツが伝送路等において劣化し、上記再生手段が本来の再生性能で再生できない場合に、本来の再生性能に見合ったコンテンツを再生しようとし続けて、正常な再生を行うことができなくなるといった事態を回避することができる。
【００１２】
本発明に係るコンテンツ再生装置はさらに、上記コンテンツを正常に再生することが不可能であると判定された場合、上記第２の再生性能情報を取得するよう、上記ソース機器に指示する指示手段を更に備えている、ことが好ましい。
【００１３】
上記の構成によれば、上記設定手段によって新たに設定された第２の再生性能情報を、上記ソース機器に取得するよう指示することができる。これによって、新たに上記第２の再生性能情報が設定されたにも係わらず、上記ソース機器が上記第２の再生性能情報を取得していないために、上記ソース機器から正常に再生することが不可能な上記コンテンツが供給され続けることを確実に防ぐ効果を奏する。
【００１４】
上記再生手段は、特定の規格の特定のバージョンにおいてサポートされたフォーマットのコンテンツを再生可能なものであり、上記第１の再生性能情報は、上記特定のバージョンを示す情報であり、上記第２の再生性能情報は、上記特定のバージョンよりも前のバージョンを示す情報である、ことが好ましい。
【００１５】
上記の構成によれば、上記コンテンツを正常に再生することが不可能である場合に、上記再生性能情報を、上記特定のバージョンよりも前のバージョン、すなわち、上記特定のバージョンよりもサポートされているフォーマットが少ないバージョンを示す、上記第２の再生性能情報に設定することができる。これによって、上記ソース機器から、上記特定のバージョンで始めてサポートされたフォーマットのコンテンツではなく、上記特定のバージョンよりも前のバージョンでもサポートされていたフォーマットのコンテンツを取得することができる。このため、上記コンテンツを正常に再生することが不可能である場合に、上記特定のバージョンで始めてサポートされたフォーマットのコンテンツを再生しようとし続けて、正常な再生を行うことができなくなるといった事態を回避することができる。
【００１６】
なお、上記特定の規格としては、例えば、ＨＤＭＩなどの通信規格が挙げられる。
【００１７】
本発明に係るコンテンツ再生装置が備える上記再生手段は、特定の解像度以下の映像コンテンツを再生可能なものであり、上記第１の再生性能情報は、上記特定の解像度を示す情報であり、上記第２の再生性能情報は、上記特定の解像度よりも低い解像度を示す情報である、ことが好ましい。
【００１８】
上記の構成によれば、上記コンテンツを正常に再生することが不可能である場合に、上記再生性能情報を、上記特定の解像度よりも低い解像度を示す、上記第２の再生性能情報に設定することができる。これによって、上記ソース機器から、上記特定の解像度よりも低い解像度のコンテンツを取得することができる。従って、上記コンテンツを正常に再生することが不可能である場合に、上記特定の解像度のコンテンツを再生しようとし続けて、正常な再生を行うことができなくなるといった事態を回避することができる。
【００１９】
本発明に係るコンテンツ再生装置が備える上記再生手段は、特定の周波数以下の映像コンテンツを再生可能なものであり、上記第１の再生性能情報は、上記特定の周波数を示す情報であり、上記第２の再生性能情報は、上記特定の周波数よりも低い周波数を示す情報である、ことが好ましい。
【００２０】
上記の構成によれば、上記コンテンツを正常に再生することが不可能である場合に、上記再生性能情報を、上記特定の周波数よりも低い周波数を示す、上記第２の再生性能情報に設定することができる。これによって、上記ソース機器から、上記特定の周波数よりも低い周波数のコンテンツを取得することができる効果を奏する。従って、上記コンテンツを正常に再生することが不可能である場合に、上記特定の周波数のコンテンツを再生しようとし続けて、正常な再生を行うことができなくなるといった事態を回避することができる。
【００２１】
本発明に係るコンテンツ再生装置が備える上記再生手段は、特定のビットレート以下のデジタルコンテンツを再生可能なものであり、上記第１の再生性能情報は、上記特定のビットレートを示す情報であり、上記第２の再生性能情報は、上記特定のビットレートよりも低いビットレートを示す情報である、ことが好ましい。
【００２２】
上記の構成によれば、上記コンテンツを正常に再生することが不可能である場合に、上記再生性能情報を、上記特定のビットレートよりも低いビットレートを示す、上記第２の再生性能情報に設定することができる。これによって、上記ソース機器から、上記特定のビットレートよりも低いビットレートのコンテンツを取得することができる効果を奏する。従って、上記コンテンツを正常に再生することが不可能である場合に、上記特定のビットレートのコンテンツを再生しようとし続けて、正常な再生を行うことができなくなるといった事態を回避することができる。
【００２３】
本発明に係るコンテンツ再生装置の設定方法は、ソース機器から取得したコンテンツを再生する再生手段を備えたコンテンツ再生装置において、上記ソース機器に提示する再生性能情報を設定する設定方法であって、上記再生手段が上記コンテンツを正常に再生することが可能であるか否かを判定する判定ステップと、上記コンテンツを正常に再生することが可能であると判定された場合、上記再生性能情報を上記再生手段の再生性能を示す第１の再生性能情報に設定し、上記コンテンツを正常に再生することが不可能であると判定された場合、上記再生性能情報を上記再生手段の再生性能よりも低い再生性能を示す第２の再生性能情報に設定する設定ステップと、を含んでいる、ことを特徴としている。
【００２４】
上記の構成によれば、上記コンテンツを正常に再生することが不可能である場合に、上記再生性能情報を上記再生手段の再生性能よりも低い再生性能を示す上記第２の再生性能情報に設定することができる。これによって、新たに設定された第２の再生性能情報に応じたコンテンツ、すなわち、上記再生手段の再生性能よりも低い再生性能で再生可能なコンテンツを、上記ソース機器から取得することができる。従って、上記コンテンツが伝送路等において劣化し、上記再生手段が本来の再生性能で再生できない場合に、本来の再生性能に見合ったコンテンツを再生しようとし続けて、正常な再生を行うことができなくなるといった事態を回避することができる。
【００２５】
なお、本発明に係るコンテンツ再生装置を動作させるためのプログラムであって、コンピュータを上記の各手段として機能させることを特徴とするプログラム、及び、それらのプログラムを記録したコンピュータ読み取り可能な記録媒体も本発明の範疇に含まれる。
【発明の効果】
【００２６】
本発明に係るコンテンツ再生装置は、以上のように、ソース機器から取得したコンテンツを再生する再生手段と、上記再生手段が上記コンテンツを正常に再生することが可能であるか否かを判定する判定手段と、上記ソース機器に提示する再生性能情報を設定する設定手段であって、上記コンテンツを正常に再生することが不可能であると判定された場合、上記再生性能情報を上記再生手段の再生性能よりも低い再生性能を示す第２の再生性能情報に設定する設定手段と、を備えている。
【００２７】
したがって、ソース機器から取得したコンテンツを正常に再生することが不可能な場合に、ソース機器から正常に再生することが可能なコンテンツを取得することができるという効果を奏する。
【図面の簡単な説明】
【００２８】
【図１】本発明の実施形態に係るコンテンツ再生装置の構成を示すブロック図である。
【図２】図１に示すコンテンツ再生装置におけるＥＤＩＤの書き換え処理を示すフローチャートである。
【図３】図２のコンテンツ再生装置におけるＥＤＩＤの生成処理（映像コンテンツの場合）を示すフローチャートである。
【図４】図２のコンテンツ再生装置におけるＥＤＩＤの生成処理（音声コンテンツの場合）を示すフローチャートである。
【発明を実施するための形態】
【００２９】
本発明の一実施形態に係るコンテンツ再生装置について、図１から図４を参照して説明すれば、以下の通りである。
【００３０】
〔コンテンツ再生装置の構成〕
まず、本実施形態に係るコンテンツ再生装置１０の構成について、図１を参照して以下に説明する。図１は、本実施形態に係るコンテンツ再生装置１０およびソース機器３０の本実施形態に係るコンテンツ再生装置１０の構成を示すブロック図である。
【００３１】
ソース機器３０は、コンテンツをコンテンツ再生装置１０に提供するための装置であり、例えば、ＢＤプレイヤである。ソース機器３０は、図１に示すように、ＤＤＣ制御部３１、映像出力部３２、及び、ＨＤＭＩインターフェース（ＩＦ）３３を備えている。
【００３２】
本実施形態に係るソース機器３０は、コンテンツ再生装置１０に提供する映像コンテンツのフォーマットを、コンテンツ再生装置１０の再生性能に応じて決定するように構成されている。
【００３３】
すなわち、（１）コンテンツ再生装置１０の再生性能を示すＥＤＩＤ（再生性能情報）を、ＤＤＣ制御部３１がＨＤＭＩインターフェース３３を介して読み出し、（２）読み出したＥＤＩＤが示す再生性能に応じたフォーマットの映像コンテンツを、映像出力部３２がＨＤＭＩインターフェース３３を介してコンテンツ再生装置１０に提供するように構成されている。
【００３４】
なお、ＤＤＣ制御部３１がＥＤＩＤを読み出すタイミングは、通常、シンク機器に接続された直後である。なお、シンク機器に接続されるタイミングは、ＤＤＣ制御部３１がＨＤＭＩ端子に含まれるホットプラグ検出ピンの電位がLレベルからHレベルに立ち上がるかを監視することによって検出する。
【００３５】
一方、コンテンツ再生装置１０は、ソース機器３０から取得したコンテンツを再生するための装置であり、例えば、テレビである。コンテンツ再生装置１０は、図１に示すように、表示部１１、リモコン受信部１２、ＨＤＭＩインターフェース（ＩＦ）１３、及び、制御部２０を備えている。
【００３６】
本実施形態に係るコンテンツ再生装置１０は、ソース機器３０から提供された映像コンテンツを正常に再生することが不可能な場合、ソース機器３０に提示するＥＤＩＤを、表示部１１本来の再生性能を示す第１のＥＤＩＤから、表示部１１本来の再生性能よりも低い再生性能を示す第２のＥＤＩＤに設定し直すように構成されている。
【００３７】
具体的には、（１）ソース機器３０から提供された映像コンテンツを正常に再生することが可能であるか否かを判定し、（２）正常に再生することが不可能であると判定した場合、表示部１１本来の再生性能を示す第１のＥＤＩＤを、表示部１１本来の再生性能よりも低い再生性能を示す第２のＥＤＩＤに書き換えるように構成されている。
【００３８】
また、本実施形態に係るコンテンツ再生装置１０は、ソース機器３０から提供された映像コンテンツを正常に再生することが不可能な場合に、書き換え処理後のＥＤＩＤ、すなわち、表示部１１本来の性能よりも低い性能を示す第２のＥＤＩＤの取得をソース機器３０に指示するように構成されている。
【００３９】
具体的には、上述したＥＤＩＤの書き換え処理を実施する前に、ＨＤＭＩ端子に含まれるホットプラグ検出ピンの電位をＬレベルに立ち下げ、ＥＤＩＤの書き換え処理を実施した後に、ホットプラグ検出ピンの電位をＨレベルに立ち上げるように構成されている。このホットプラグ検出ピンの電位の立ち上げをトリガーとして、ソース機器３０に、書き換え処理後のＥＤＩＤ、すなわち、コンテンツ再生装置１０の本来の性能よりも低い性能を示す第２のＥＤＩＤを取得させることができる。
【００４０】
なお、ＥＤＩＤには、表示部１１が再生可能なフォーマットがエントリーとして列挙されている。たとえば、ＥＤＩＤに再生可能な解像度を示す{640×480、800×600、1024×768、1152×864、1280×1024}というエントリーが含まれていれば、表示部１１がこれらの解像度を有する映像コンテンツを再生可能であることを意味する。第２のＥＤＩＤは、例えば、{640×480、800×600、1024×768、1152×864、1280×1024}というエントリーを含む第１のＥＤＩＤから、最大解像度を示すエントリー1280×1024を削除することによって生成することができる。
【００４１】
これらの機能を実現するために、コンテンツ再生装置１０の制御部２０は、判定部２１、ダイアログ生成部２２、ＥＤＩＤ生成部２３、ＥＤＩＤ記録部２４、及び、ホットプラグ制御部２５を含んでいる。制御部２０に含まれる各ブロックの有する機能は、以下のとおりである。
【００４２】
判定部２１は、ソース機器３０から提供された映像信号に基づいて、表示部１１が映像コンテンツを正常に表示することが可能であるか否かを判定するための手段である。具体的には、ソース機器３０から提供された映像信号における同期信号を検出し、同期信号の検出周期が一定である（同期信号の検出周期の増減が予め定められた閾値よりも小さい）場合には正常表示可能、そうでない場合には正常表示不可能と判定する。なお、ソース機器３０から提供される信号がデジタル信号であれば、それが映像コンテンツを表すものである場合にも、音声コンテンツを表すものである場合にも、同様の方法で再生可能であるか否かを判定することができる。
【００４３】
ダイアログ生成部２２は、映像コンテンツを正常に表示することが不可能であると判定部２１が判定した場合に、表示部１１に表示させるダイアログを生成するための手段である。ダイアログ生成部２２により生成されるダイアログは、ＥＤＩＤの書き換えを行うか否かをユーザに問い合わせるためのダイアログである。ユーザは、表示部１１に表示されたダイアログに従って、ＥＤＩＤの書き換えを行うか否かを選択することができる。ＥＤＩＤの書き換えを行うことを指示する操作がリモートコントローラに為されたことをリモコン受信部１２が検出すると、ダイアログ生成部２２は、ＥＤＩＤの生成をＥＤＩＤ生成部２３に指示する。
【００４４】
ＥＤＩＤ生成部２３は、映像コンテンツを正常に表示することが不可能であると判定部２１が判定した場合に、第２のＥＤＩＤを生成するための手段である。ＥＤＩＤ記録部２４に記録されていた第１のＥＤＩＤは、ＥＤＩＤ生成部２３により生成された第２のＥＤＩＤによりオーバーライトされる。上述したとおり、第１のＥＤＩＤは、表示部１１本来の性能を示すＥＤＩＤであり、第２のＥＤＩＤは、表示部１１本来の性能よりも低い性能を示すＥＤＩＤである。
【００４５】
本実施形態におけるＥＤＩＤ生成部２３は、ダイアログ生成部２２の指示に応じて第２のＥＤＩＤを生成するように構成されている。つまり、映像コンテンツを正常に表示することが不可能であると判定部２１が判定し、更に、ＥＤＩＤの書き換えを行うことをユーザが許可した場合に第２のＥＤＩＤを生成するように構成されている。
【００４６】
ホットプラグ制御部２５は、映像コンテンツを正常に表示することが不可能であると判定部２１が判定した場合に、ＥＤＩＤ記録部２４に記録されている第２のＥＤＩＤを取得することをソース機器３０に指示するための構成である。具体的には、ＥＤＩＤの書き換えを実行する前に、ＨＤＭＩ端子に含まれるホットプラグ検出ビンに印可する電圧をＬレベルに立ち下げ、ＥＤＩＤの書き換えを実行した後に、同ホットプラグ検出ピンに印可する電圧をＨレベルに立ち上げることによって、ソース機器３０にＥＤＩＤの読み出しを促す。
【００４７】
〔ＥＤＩＤの書き換え処理〕
次に、本実施形態に係るコンテンツ再生装置１０によるＥＤＩＤの書き換え処理について、図２を参照して説明する。図２は、コンテンツ再生装置１０によるＥＤＩＤの書き換え処理の流れを示すフローチャートである。
【００４８】
ステップＳ１：ソース機器３０から映像コンテンツが提供されると、表示部１１によって映像コンテンツを正常に再生することが可能であるか否かを、判定部２１が判定する。表示部１１によって映像コンテンツを正常に再生することが可能であると判定した場合、ＥＤＩＤの書き換えを行うことなく処理を終了する。
【００４９】
ステップＳ２：ステップＳ１にて正常に再生することが不可能であると判定された場合（ステップＳ１：ＮＯ）、ＥＤＩＤの書き換えを実行するか否かをユーザに問い合わせるためのダイアログを、ダイアログ生成部２２が生成し、表示部１１が表示する。
【００５０】
ステップＳ３：ＥＤＩＤの書き換えを実行することを指示するユーザ操作、または、ＥＤＩＤの書き換えを実行しないことを指示するユーザ操作のうち、何れのユーザ操作がリモコンに対して為されるかを、リモコン受信部１２が検出する。ＥＤＩＤの書き換えを実行しないことを指示するユーザ操作が為された場合、ＥＤＩＤの書き換えを行うことなく処理を終了する。
【００５１】
ステップＳ４：ステップＳ３にてＥＤＩＤの書き換えを実行することを指示するユーザ操作が為された場合、表示部１１本来の再生性能よりも低い再生性能を示す第２のＥＤＩＤをＥＤＩＤ生成部２３が生成する。ここで実施されるＥＤＩＤの書き換え処理については、参照する図面をかえて後述する。
【００５２】
ステップＳ５：ホットプラグ制御部２５が、ＨＤＭＩ端子に含まれるホットプラグ検出ビンに印可する電圧をＨレベルからＬレベルに立ち下げる。これにより、ソース機器３０は、コンテンツ再生装置１０との接続が断たれたものと認識する。
【００５３】
ステップＳ６：ＥＤＩＤ記録部２４に記録されている第１のＥＤＩＤを、ステップＳ４にて生成した第２のＥＤＩＤによってオーバーライトする。
【００５４】
ステップＳ７：ホットプラグ制御部２５が、ＨＤＭＩ端子に含まれるホットプラグ検出ビンに印可する電圧をＬレベルからＨレベルに立ち上げる。これにより、ソース機器３０は、コンテンツ再生装置１０との接続が確立されたと認識し、ＥＤＩＤ記録部２４に記録された第２のＥＤＩＤを読み出すとともに、コンテンツ再生装置１０に提供するコンテンツを、読み出した第２のＥＤＩＤに応じたフォーマットの映像コンテンツに切り替える。
【００５５】
なお、ステップＳ１〜Ｓ７の処理は、表示部１１によって映像コンテンツを正常に再生することが可能であると判定されるまで（ステップＳ１：ＹＥＳ）、または、ＥＤＩＤの書き換えを実行しないことを指示するユーザ操作が為されるまで（ステップＳ３：ＮＯ）まで繰り返される。つまり、ＥＤＩＤの書き換えを実行しないことをユーザ操作が指示しないかぎり、映像コンテンツを正常に再生することが可能になるまで、ＥＤＩＤの示す表示部１１の再生性能を次第に低下させる。
【００５６】
〔ＥＤＩＤの生成処理〕
次に、本実施形態に係るコンテンツ再生装置１０によるＥＤＩＤの生成処について、図３および図４を参照して説明する。
図３は、コンテンツ再生装置１０によるＥＤＩＤの生成処理の流れを示すフローチャートである。より具体的には、正常に再生することが不可能なコンテンツが映像コンテンツである場合に、第１のＥＤＩＤ、すなわち、表示部１１本来の性能を示すＥＤＩＤから適当なエントリーを削除することによって、第２のＥＤＩＤを生成する処理の流れを示すフローチャートである。
【００５７】
図３に示すフローチャートに含まれる各ステップについて説明すれば以下のとおりである。
【００５８】
ステップＳ１１：表示部１１本来の再生性能を示す第１のＥＤＩＤから、ＨＤＭＩの最新バージョン（コンテンツ再生装置１０が対応しているバージョンのうちで、最も新しいバージョン）にて始めてサポートされたフォーマット（それ以前のバージョンでサポートされていなかったフォーマット）を示すエントリーを削除することによって、新たなＥＤＩＤを生成する。これにより、ソース機器がＨＤＭＩの最新バージョンに対応していないことに起因して、正常に再生することのできない映像コンテンツがソース機器から供給されるといった不具合を解消することができる。
【００５９】
ステップＳ１２〜Ｓ１３：ソース機器３０から取得した映像信号のエラーレートを検出するとともに、検出したエラーレートが予め定められた閾値よりも小さいか否かを判定する。そして、検出したエラーレートが予め定められた閾値よりも大きい場合には、ステップＳ１１にて得られたＥＤＩＤから、更に、その時点のＴＭＤＳクロック以上のフォーマットを示すエントリーを削除する。例えば、ＴＭＤＳクロックが１４８．５ＭＨｚであるとき、ＥＤＩＤから映像の解像度が１０８０ｐであるエントリーを削除する。
【００６０】
ステップＳ１４〜Ｓ１５：ソース機器３０から取得した映像信号がコンテンツ再生装置１０が対応している（サポートしている）映像信号であるか否かを判定する。そして、映像信号がコンテンツ再生装置１０が対応している映像信号である場合には、更に、ステップＳ１３にて得られたＥＤＩＤから、更に、ソース機器３０から取得した映像信号の水平走査周波数および垂直走査周波数と同じ水平解像度および垂直解像度を示すエントリーを削除する。
【００６１】
ステップＳ１６：ステップＳ１１、ステップＳ１３、及びステップＳ１４において、ＥＤＩＤに変更があったか否かを判定する。そして、ＥＤＩＤに変更がなかった場合、一連の処理が終了する。
【００６２】
ステップＳ１７〜Ｓ１８：ＥＤＩＤに変更があった場合、できあがったＥＤＩＤが規定の構文に則っているかを構文チェックする。できあがったＥＤＩＤが構文チェックをパスしなかった場合、一連の処理を終了する。できあがったＥＤＩＤが構文チェックをパスした場合、ＥＤＩＤ記録部２４に記録されている第１のＥＤＩＤを、できあがったＥＤＩＤによってオーバーライトする。
【００６３】
図４は、コンテンツ再生装置１０による他のＥＤＩＤの生成処理の流れを示すフローチャートである。より具体的には、正常に再生することが不可能なコンテンツが音声コンテンツである場合に、第１のＥＤＩＤ、すなわち、表示部１１本来の性能を示すＥＤＩＤから適当なエントリーを削除することによって、第２のＥＤＩＤを生成する処理の流れを示すフローチャートである。
【００６４】
図４に示すフローチャートに含まれる各ステップについて説明すれば以下のとおりである。
【００６５】
ステップＳ２１：本来の再生性能を示す第１のＥＤＩＤから、ＨＤＭＩの最新バージョン（コンテンツ再生装置１０が対応しているバージョンのうちで、最も新しいバージョン）にて始めてサポートされたフォーマット（それ以前のバージョンでサポートされていなかったフォーマット）を示すエントリーを削除することによって、新たなＥＤＩＤを生成する。これにより、ソース機器がＨＤＭＩの最新バージョンに対応していないことに起因して、正常に再生することのできない音声コンテンツがソース機器から供給されるといった不具合を解消することができる。
【００６６】
ステップＳ２２：ステップＳ２１にて得られたＥＤＩＤから、さらに、４８ｋＨｚ、１６ｂｉｔを超えるフォーマットを削除し、入力された音声信号を正確に出力できる最大フォーマットを４８ｋＨｚ、１６ｂｉｔ以下とする、新しいＥＤＩＤを生成する。
【００６７】
ステップＳ２３〜Ｓ２４：ＥＤＩＤに変更があった場合、できあがったＥＤＩＤが規定の構文に則っているかを構文チェックする。できあがったＥＤＩＤが構文チェックをパスしなかった場合、一連の処理を終了する。できあがったＥＤＩＤが構文チェックをパスした場合、ＥＤＩＤ記録部２４に記録されている第１のＥＤＩＤを、できあがったＥＤＩＤによってオーバーライトする。
【００６８】
（プログラムおよび記録媒体）
コンテンツ再生装置１０に含まれている制御部２０は、ハードウェアロジックによって構成すればよい。又は、次のように、ＣＰＵ（Central Processing Unit）を用いてソフトウェアによって実現してもよい。
【００６９】
すなわち、制御部２０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【００７０】
そして、本発明の目的は、制御部２０のプログラムメモリに固定的に担持されている場合に限らず、上記プログラムのプログラムコード（実行形式プログラム、中間コードプログラム、又は、ソースプログラム）を記録した記録媒体をコンテンツ再生装置１０に供給し、コンテンツ再生装置１０が上記記録媒体に記録されている上記プログラムコードを読み出して実行することによっても、達成可能である。
【００７１】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７２】
また、制御部２０（又はコンテンツ再生装置１０）を通信ネットワークと接続可能に構成しても、本発明の目的を達成できる。この場合、上記のプログラムコードを、通信ネットワークを介して制御部２０に供給する。この通信ネットワークは制御部２０にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【００７３】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７４】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【００７５】
本発明は、テレビ、ディスプレイ、モニタなどのコンテンツ再生装置に好適に適用することができる。
【符号の説明】
【００７６】
１０      コンテンツ再生装置（受信装置）
１１      表示部（再生手段）
１２      リモコン受信部
１３      ＨＤＭＩインターフェース
２０      制御部
２１      判定部（判定手段）
２２      ダイアログ生成部
２３      ＥＤＩＤ生成部（設定手段）
２４      ＥＤＩＤ記録部
２５      ホットプラグ制御部（指示手段）
３０      ソース機器（ソース機器）
３１      ＤＤＣ制御部
３２      映像出力部
３３      ＨＤＭＩインターフェース
【図１】
2011172146.tif 000003
【図２】
2011172146.tif 000004
【図３】
2011172146.tif 000005
【図４】
2011172146.tif 000006